(57)【要約】【課題】コネクタに防水材を取り付けている簡易防水コネクタにおいて、防水材の電線通し部分に各電線を簡単に通すことができるようにする。【解決手段】電線端末の端子を挿入係止したコネクタに後付けする防水材を備え、前記防水材は樹脂製で、コネクタハウジングの端子挿入側の前面上部に押し当てられる上端連結枠部と、該上端連結枠部の下面に並列に垂設している差し込みピンを備えた櫛状防水材とし、前記コネクタの端子収容室の前面側開口から引き出される電線群に前記櫛状防水材の差し込みピンを上方から差し込み、隣接する電線の間に挟みこんで該電線の外面に接触させる構造としている。【選択図】図１
2017084677.tif 000002
【特許請求の範囲】
【請求項１】
電線端末の端子を挿入係止したコネクタに後付けする防水材を備え、
前記防水材は樹脂製で、コネクタハウジングの端子挿入側の前面上部に押し当てられる上端連結枠部と、該上端連結枠部の下面に並列に垂設している差し込みピンを備えた櫛状防水材とし、
前記コネクタの端子収容室の前面側開口から引き出される電線群に前記櫛状防水材の差し込みピンを上方から差し込み、隣接する電線の間に挟みこんで該電線の外面に接触させる構造としていることを特徴とする簡易防水コネクタ。
【請求項２】
前記櫛状防水材は、前記上端連結枠部をコネクタハウジングの全端子収容室の上壁前面の全体に押し当てられ、該押し当てられた位置で、隣接する前記差し込みピンの間は挟み込む電線により押し広げられる寸法をあけると共に、該電線との接触位置より上部では隣接する差し込みピンの間はスリット状隙間とし、かつ、各差し込みピンは下端に向けて収斂する方向に傾斜する形状とし、さらに、各差し込みピンは電線接触時に腰折れせずに傾斜しながら差し込まれる強度を有するものとしている請求項１に記載の簡易防水コネクタ。
【請求項３】
前記櫛状防水材の隣接する差し込みピンの隙間寸法は、電線と接触する位置で小径電線では小さくすると共に大径電線では大きくし、
かつ、前記隣接する差し込みピンの隙間寸法を小さくする場合は、差し込みピンの表面に撥水剤塗布層を設け、または該櫛状防水材を撥水性樹脂製とする一方、
前記隣接する差し込みピンの隙間寸法を大きくする場合は、少なくとも電線を挟みこむ側面に羽毛状突片を密集させた吸水部を設けている請求項１または請求項２に記載の簡易防水コネクタ。
【請求項４】
前記櫛状防水材の上端連結枠部に、傘部を一体に設け、または別体の傘部を取り付け、該傘部の一方側はコネクタハウジングの上面への搭載部とすると共に、他方側はコネクタハウジングより引き出される電線群の上方に位置させて、電線の外面への水滴の落下を防止する電線側傘部としている請求項１乃至請求項３のいずれか１項に記載の簡易防水コネクタ。
【請求項５】
前記コネクタに接続する電線は、アルミニウム系金属からなる芯線を絶縁被覆で被覆している電線であり、該電線の端末で接続している端子は銅系金属からなる請求項１乃至請求項４のいずれか１項に記載の簡易防水コネクタ。
【発明の詳細な説明】
【技術分野】
【０００１】
本発明は簡易防水コネクタに関し、詳しくは、自動車に配索するワイヤハーネスの端末に接続するコネクタに浸水が生じるのを防止するものである。
【背景技術】
【０００２】
浸水領域に配索するワイヤハーネス端末には防水コネクタが接続されており、該防水コネクタはコネクタハウジングに防水フードを付設したり、ワイヤハーネスの各電線に防水用ゴム栓を取り付け、コネクタ内部への浸水を確実に防止できる構造とされている。そのため、構造が複雑になり、重量が増加し、かつ、部品点数および取付作業手数がかかりコスト高になる。
【０００３】
また、近時、軽量化と低コスト化より、電線の芯線を銅系金属に代えてアルミニウム系金属が採用されつつあるが、銅系金属からなる端子との圧着接続部分は異種金属の接触となり腐食が発生しやすくなる。さらに、該異種金属の接触部分に水滴が付着すると腐食は急激に広い範囲で発生する。
【０００４】
よって、防水コネクタが必須となる浸水領域に配置するコネクタではないが、車室内での飲料水のこぼれ等で不用意に水がかかる恐れがある箇所に、前記アルミニウム系金属の芯線と接続した端子を挿入係止するコネクタを配置する場合、該コネクタを簡易防水コネクタとする必要がある。
【０００５】
この種の簡易防水コネクタとして、本出願人は図９（Ａ）（Ｂ）に示す防水コネクタを特開平７−７３９２６号公報（特許文献１）で提供すると共に、図１０（Ａ）（Ｂ）に示す防水コネクタを特開２００４−１４６１８１号公報（特許文献２）で提供している。
【０００６】
特許文献１のコネクタ１００は、その挿入側端部の外面に弾性材からなる防水カバー１１０を被着（外嵌）しておき、電線端末に接続した端子１２０を防水カバー１１０に設けた透穴１３０に押し込み、該透穴１３０の外周に設けた切り込み１４０を押し広げて端子１２０を貫通させてコネクタ１００内に挿入している。
特許文献２のコネクタ２００は、端子挿入孔２０２を設けた一体型ゴム栓カバー２０１をコネクタハウジング２１０の端子挿入側に突設した防水栓収容筒部２１１に内嵌し、該防水栓収容筒部２１１の先端外周に補強用のフランジ部２１５を設けている。電線端末の端子１２０を端子挿入孔２０２に貫通させてコネクタ２００内に挿入係止している。
【先行技術文献】
【特許文献】
【０００７】
【特許文献１】特開平７−７３９２６号公報
【特許文献２】特開２００４−１４６１８１号公報
【発明の概要】
【発明が解決しようとする課題】
【０００８】
前記特許文献１の防水コネクタでは、コネクタハウジングに取り付けた防水カバーに設けた各端子挿通穴に電線端末の端子を貫通している。即ち、特許文献１の防水コネクタでは電線端末の端子１２０をそれぞれ貫通する透穴１３０を設けた防水カバー１１０をコネクタハウジングに外嵌している。特許文献２の防水コネクタでは電線端末の端子１２０をそれぞれ貫通する端子挿入孔２０２を設けた一体型ゴム栓カバー２０１をコネクタハウジングに内嵌している。
【０００９】
前記のように、従来の簡易防水コネクタでは、いずれも、電線端末に接続した端子をコネクタに嵌合している防水カバーの端子穴にそれぞれ先に通した後に、これら端子をコネクタの端子収容室に挿入係止している。このように、防水カバーをコネクタに先に取り付けているため、該防水カバーの各端子孔に電線端末の端子を通してコネクタ内に挿入する必要があり、作業手数がかかる問題がある。
【００１０】
本発明は前記問題を解消するためになされたものであり、コネクタに電線端末の端子を挿入係止した後にコネクタに防水カバーを取り付け、該防水カバーに電線を一括して通してコネクタ内への浸水防止を図ることができる簡易防水コネクタを提供することを課題としている。
【課題を解決するための手段】
【００１１】
前記課題を解決するため、本発明は、電線端末の端子を挿入係止したコネクタに後付けする防水材を備え、
前記防水材は樹脂製で、コネクタハウジングの端子挿入側の前面上部に押し当てられる上端連結枠部と、該上端連結枠部の下面に並列に垂設している差し込みピンを備えた櫛状防水材とし、
前記コネクタの端子収容室の前面側開口から引き出される電線群に前記櫛状防水材の差し込みピンを上方から差し込んで隣接する電線の間に挟みこんで該電線の外面に接触させる構造としていることを特徴とする簡易防水コネクタを提供している。
【００１２】
前記櫛状防水材は前記上端連結枠部をコネクタハウジングの前面上部に押し当てた位置で、隣接する前記差し込みピンの間は挟み込む電線により押し広げられる寸法をあけると共に、該電線との接触位置より上部では隣接する差し込みピンの間はスリット状隙間とし、かつ、各差し込みピンは下端に向けて収斂する方向に傾斜する形状とし、さらに、各差し込みピンは電線接触時に腰折れせずに傾斜しながら差し込まれる強度を有するものとしている。即ち、櫛状防水材の差し込みピンをコネクタから引き出される電線群に上方から差し込む過程で、差し込みピンを樹脂製として硬度を持たせ、電線と接触しても腰折れすることなく、隣接する電線の間に差し込むことができる強度を持たせている。
【００１３】
前記のように、本発明では、コネクタに電線端末の端子を挿入係止後に、該コネクタの端子挿入側前面に沿わせてコネクタから引き出される電線群に櫛状防水材の差し込みピンを差し込んでいる。言い換えると、櫛状防水材の差し込みピンを上方から電線群の間に差し込んで行く過程で、隣接する差し込みピンの間の電線通し空間に各電線を一括して通すことができる。よって、従来のコネクタに先付けされた防水カバーの電線通し穴に電線をそれぞれ挿通する作業が必要がある防水コネクタと比較して電線の通し作業を非常に簡単にでき、作業を短時間で効率よく行うことができる。
【００１４】
また、コネクタの端子収容室の開口より引き出された位置の電線の外面に前記差し込みピンを接触させることにより、上方からコネクタ前面に沿って垂れ落ちてくる水滴および電線外面を伝ってくる水滴を前記差し込みピンで受け止め、水滴がコネクタの端子収容室（キャビテイ）内に端子挿入用開口から浸水するのを防止することができる。かつ、隣接する差し込みピンを押し開いて電線を通すため、電線の太さ（電線径）が相違しても電線の外面に差し込みピンを押しあてて、水滴を受け止めることができる。よって、電線径の相違を吸収できる防水材となり、電線径の相違に応じる部品点数を削減できる。
【００１５】
さらに、櫛状防水材は差し込みピンの間に挟みこむ複数の電線により支持され、該電線の端末に接続した端子をコネクタハウジング内に挿入係止して、これら電線をコネクタで支持していることより、コネクタハウジングの前面に前記櫛状防水材を接着剤や機械的固定手段で固定することなく取り付けることができる。
【００１６】
前記コネクタに接続する電線は、アルミニウム系金属からなる芯線を絶縁被覆で被覆している電線であり、該電線の端末で絶縁被覆を皮剥ぎして露出させた芯線に銅系金属からなる端子を圧着接続している場合に、本発明の簡易防水コネクタは好適に用いられる。
【００１７】
前記電線と端子の異種金属の接触部に水がかかると腐食が発生しやすくなる。そのため、前記電線端末の端子が挿入されるコネクタ内部への浸水を確実に防止して、腐食の発生を防止する必要がある。よって、非浸水領域であるが、乗員が水をこぼす等の要因で不用意に水滴が付着する恐れがある箇所に配置されるコネクタは、前記本発明の櫛状防水材を取り付けて簡易防水コネクタとし、コストおよび作業手数をかけずに確実に防水できる構造とすることが好ましい。
【００１８】
前記櫛状防水材の隣接する差し込みピンの隙間寸法は、電線と接触する位置で小径電線では小さくすると共に、大径電線では大きくし、
かつ、前記隣接する差し込みピンの隙間寸法を小さくする場合は、差し込みピンの表面に撥水剤塗布層を設け、または該櫛状防水材を撥水性樹脂製とする一方、
前記隣接する差し込みピンの隙間寸法を大きくする場合は、少なくとも電線を挟みこむ側面に羽毛状突片を密集させた吸水部を設けることが好ましい。
【００１９】
前記のように、隣接する差し込みピンの隙間寸法が小さい場合は、該隙間に水滴が保持されないように、差し込みピンの表面の撥水剤塗布層で撥水することが好ましい。
一方、隣接する差し込みピンの隙間寸法が大きい場合は、水滴が溜まる空間が大きくなるため、該水滴を差し込みピンの表面から突設する羽毛状突片で吸水して、水滴がコネクタの端子収容室に浸入するのを防止することが好ましい。
【００２０】
さらに、前記櫛状防水材の上端連結枠部に、傘部を一体に設け、または別体の傘部を取り付け、該傘部の一方側はコネクタハウジングの上面への搭載部とすると共に、他方側はコネクタハウジングより引き出される電線群の上方に位置させて、電線の外面への水滴の落下を防止する電線側傘部とすることが好ましい。
【００２１】
また、前記傘部の電線側傘部を電線群の配線方向へのガイド部となる方向に傾斜または湾曲させることが好ましい。例えば、コネクタハウジングから引き出す電線群を下向き傾斜させると、電線外面を伝う水滴を自重落下させて、コネクタハウジングの端子収容室に浸水するのを確実に防止できる。
【００２２】
前記櫛状防水材は連続物として成形しておき、コネクタに応じた長さに切断して用いることが好ましい。また、該櫛状防水材に傘部を付す場合も、一体または別体として連続成形しておき、切断して用いることが好ましい。即ち、コネクタ毎に専用の防水材を設ける必要はなく、安価に簡易防水コネクタを得ることができる。
【発明の効果】
【００２３】
本発明の簡易防水コネクタは、コネクタに電線端末の端子を挿入係止後に、櫛状防水材を後付けでコネクタに取り付け、該取り付け工程で櫛状防水材の差し込みピンを電線群に上方から差し込んでいく過程で電線をそれぞれ同時かつ一括で差し込みピンの間の電線通し部分に通すことができる。よって、従来のコネクタに先付けされた防水カバーの電線通し穴に電線をそれぞれ挿通する作業が必要がある防水コネクタと比較して電線の通し作業を非常に簡単にでき、作業を短時間で効率よく行うことができる。
かつ、コネクタ自体は非防水の汎用コネクタを用いることができると共に、櫛状防水材を簡単かつ安価に取得でき、製造コストを低減することができる。
【図面の簡単な説明】
【００２４】
【図１】本発明の第１実施形態の簡易防水コネクタに電線を接続した状態を示し、（Ａ）は斜視図、（Ｂ）は要部拡大図、（Ｃ）は（Ａ）の断面図である。
【図２】前記コネクタに取り付ける櫛状防水材を示し、（Ａ）は斜視図、（Ｂ）は櫛状防水材の差し込みピンの拡大斜視図、（Ｃ）は（Ｂ）のＣ−Ｃ線断面図である。
【図３】前記コネクタに接続する電線を示す図面である。
【図４】（Ａ）（Ｂ）は前記コネクタに電線を接続し、その後、櫛状防水材を取り付ける手順を示す図面である。
【図５】（Ａ）（Ｂ）は前記櫛状防水材の差し込みピンの変形例を示す図面である。
【図６】第２実施形態を示し、（Ａ）は簡易防水コネクタに電線を接続した状態の斜視図、（Ｂ）は傘部を付設した櫛状防水材の斜視図である。
【図７】（Ａ）（Ｂ）は第２実施形態の傘部の変形例を示す斜視図である。
【図８】第３実施形態の櫛状防水材を示す図面である。
【図９】（Ａ）（Ｂ）は従来例を示す図面である。
【図１０】（Ａ）（Ｂ）は他の従来例を示す図面である。
【発明を実施するための形態】
【００２５】
以下、本発明の簡易防水コネクタの実施形態を図面を参照して詳述する。
本発明の簡易防水コネクタ（以下、コネクタと略称する）は自動車内に配索されるワイヤハーネス端末に接続されると共に、乗員が持ち込む飲料水等がこぼれて浸水する可能性がある位置に配置するコネクタである。即ち、エンジンルーム内や床面下方等の雨水や路面の溜まり水、洗浄水が入りこむ浸水領域に配置する防水コネクタより簡易的に防水を図るコネクタである。
【００２６】
図１乃至図４に示す第１実施形態では、図１（Ａ）〜（Ｃ）に示すように、コネクタ１のコネクタハウジング２の端子収容室（キャビテイ）３への水滴Ｑ（Ｑ１、Ｑ２、Ｑ３）の浸水を防止するため櫛状防水材１０を取り付けている。コネクタ１の端子収容室３内に浸水する水滴（Ｑ）として、コネクタハウジング２の上面２ａに垂れ落ちた水滴（Ｑ１）が端子挿入側開口２ｈを設けた前面２ｂに沿って流れ落ち、また該前面２ｂに沿う位置で上方から垂れ落ちてくる水滴（Ｑ２）、さらに、コネクタ１に接続する電線２０の外周面を伝ってくる水滴（Ｑ３）がある。これら水滴（Ｑ）がコネクタ１の端子収容室３内に侵入するのを防止するため櫛状防水材１０を取り付けている。
【００２７】
櫛状防水材１０は電線２０の端末の端子２５をコネクタ１の端子収容室３内に挿入した後にコネクタハウジング２に後付けで取り付けている。実施形態のコネクタ１は機器のコネクタ嵌合凹部に嵌合する雌コネクタである。なお、ワイヤハーネス端末に接続したコネクタ同士を嵌合する場合は、両方の雌雄コネクタの端子挿入側開口２ｈに櫛状防水材１０をそれぞれ取り付けるものとしている。また、アースジョイントコネクタ等に適用できる。
【００２８】
コネクタ１のコネクタハウジング２は樹脂成形品で、非防水用の汎用のコネクタとして汎用されているものである。該コネクタハウジング２は上下左右壁からなる外壁２ｃの内部に縦壁と横壁とからなる仕切壁２ｄを設け、上下２段で且つ左右方向に複数の端子収容室（所謂キャビテイ）３を備えている。本実施形態では、上段の端子収容室３Ｕと下段の端子収容室３Ｄは各段に６個の端子収容室を並設している。なお、コネクタ１は端子収容室３が１段であっても、３段以上であってもよく、かつ、並設する端子収容室の個数も限定されない。前記コネクタハウジング２は各端子収容室３内の底壁に端子係止用のランス（図示せず）を切り起こしで設け、端子挿入側開口２ｈから挿入する電線２０の端末の端子２５の係止穴に挿入係止するものとしている。
【００２９】
図３に示す電線２０はアルミニウム系金属からなる芯線２０ａを絶縁被覆層２０ｂで被覆しているアルミ系電線からなる。該電線２０を端末側で絶縁被覆層２０ｂを皮剥ぎして芯線２０ａを露出させ、該芯線２０ａに銅系金属板からなる端子２５を加締め圧着して接続している。前記コネクタ１の全端子収容室３に電線２０の端末に圧着した端子２５を挿入係止するものとしている。  
【００３０】
前記櫛状防水材１０はポリエチレン、ポリプロピレン、ナイロン、テフロン（登録商標）等の樹脂で「櫛状」に形成した樹脂成形品からなる。該櫛状防水材１０は、コネクタハウジング２の端子挿入側の前面２ｂの上部に押し当てられる断面矩形状の上端連結枠部１１と、該上端連結枠部１１の下面に並列に垂設している差し込みピン１２を一体的に備えた形状としている。本実施形態ではＰＰ（ポリプロピレン製）とし、図２（Ｃ）に示すように、差し込みピン１２の表面にフッ素樹脂塗布層１２ｃを設けている。該櫛状防水材１０の幅方向Ｘの寸法はコネクタハウジング２の全幅寸法と同等とし、密に設ける前記差し込みピン１２でコネクタハウジング２の上下段の全端子収容室３の前面２ｂを覆う大きさとしている。
【００３１】
図２に示す櫛状防水材１０は、その上端連結枠部１１をコネクタハウジング２の上壁の前面全体に丁度押し当てられる大きさとしている。該上端連結枠部１１の下面から幅方向に密に並設する多数の差し込みピン１２は、上下２段の全端子収容室３の端子挿入側開口２ｈを覆う上下長さを有し、下端１２ｐに向けて収斂する方向に傾斜する形状としている。
【００３２】
前記差し込みピン１２は下端１２ｐよりコネクタ１から引き出される複数の電線２０に差し込まれ、図１（Ａ）に示すように、上端連結枠部１１がコネクタハウジング２の上壁前面に押し当てられた位置で挿入停止するものとしている。この位置で、隣接する差し込みピン１２、即ち、図１（Ｂ）中で差し込みピン１２−１と１２−２の間に上段の端子収容室３Ｕから引き出される電線２０ー１が差し挟まれ、電線２０−１の両側外面は差し込みピン１２−１と１２−２と接触しながら押し広げる。各差し込みピン１２は上端から前記電線２０−１の差し込み位置Ｈ１までは、隣接する差し込みピンとの間は殆ど空隙のないスリット状隙間としている。該位置Ｈ１から、挟み込む電線２０−１で押し広げても損傷および腰折れが発生しない隙間がある程度に下端１２ｐに向けて幅狭に傾斜させている。かつ、電線への差し込み時に差し込みピン１２が腰折れしたり、亀裂等の損傷が発生せずに、電線２０−１の外面に沿って傾斜して電線の間に差し込んでいく強度を有するものとしている。
【００３３】
隣接する差し込みピン１２の前記位置Ｈ１から下端１２ｐまでの隙間寸法は、小径電線では小さくすると共に、大径電線では大きくし、かつ、電線２０に差し込みやすいように、下端に向けて差し込みピン１２の幅を狭くしているため、隣接する差し込みピンの隙間寸法を拡大する。よって、図１（Ｂ）に示すように、下段の端子収容室３Ｄから引き出される電線２０−２は、隣接する差し込みピン１２と密着しない。しかしながら、下段の電線２０−２は上段の電線２０−１の真下に位置するため、上方から垂れ落ちてくる水滴（Ｑ１、Ｑ２）は上段の電線２０−１で受け止められ、下段の電線２０−２に水滴が付着しない。よって、下段の電線２０−２が差し込みピン１２と接触しなくとも問題はない。
【００３４】
コネクタ１への櫛状防水材１０の取り付けは以下の手順で行う。
まず、図４（Ａ）に示すように、端子２５を端末に圧着接続した電線２０をコネクタ１の上下２段の端子収容室３内にそれぞれ挿入係止する。この時点では、櫛状防水材１０をコネクタ１に取り付けていない。
【００３５】
電線２０の端末に接続した端子２５をコネクタ１の各端子収容室３内に挿入し、ランスで所定位置に固定した後に、図４（Ｂ）に示すように、櫛状防水材１０をコネクタハウジング２に上方からコネクタハウジング２の前面２ｂに沿わせて下降させて取り付ける。即ち、櫛状防水材１０の上端連結枠１１を作業員が把持して、差し込みピン１２を下端１２ｐより端子収容室３から引き出される電線２０に上方から差し込んでいく。
【００３６】
差し込み過程で、差し込みピン１２の一部が上段の電線２０−１と接触すると、接触した差し込みピン１２は電線２０−１で両側に押し広げられ、図１（Ｂ）に示すように、隣接する差し込みピン１２の隙間が広がる方向に傾斜し、電線通し空間Ｃが形成される。この電線通し空間Ｃに下段の端子収容室３Ｄから引き出される下段の電線２０−２を通すことになる。このように、後付けする櫛状防水材１０をコネクタ１から引き出される電線２０に上方から差し込む操作だけで、電線２０を一括かつ同時に櫛状防水材１０の電線通し空間に通すことができる。
【００３７】
電線２０に差し込みピン１２を差し込んで取り付ける櫛状防水材１０は、差し込みピン１２の間に挟みこむ複数の電線２０により支持され、これら電線２０の端末に接続した端子２５をコネクタハウジング２内に挿入係止して、電線２０をコネクタ１で支持している。よって、これら電線２０で支持される櫛状防水材１０の上端連結枠部１１をコネクタハウジング２の上壁前面２ｂに押し当てた位置で、櫛状防水材１０自体を保持することができる。よって、櫛状防水材１０を接着剤や機械的固定手段で固定することなくコネクタハウジング２に取り付けることができる。
なお、上端連結枠部１１のコネクタハウジング当接面に粘着剤を塗布した剥離紙を取り付けておき、該剥離紙を取り外して、上端連結枠部１１をコネクタハウジングの上壁前面に固着してもよい。
【００３８】
前記のように、本発明では、コネクタ１の端子収容室３内に電線端末の端子２５を挿入係止後に、該コネクタ１の端子挿入側前面に沿わせてコネクタ１から引き出される電線２０に櫛状防水材１０の差し込みピン１２を差し込んで簡易防水を行っている。この差し込みピン１２を上方から電線２０の間に差し込んで行く過程で、隣接する差し込みピンの間の電線通し空間Ｃに全電線２０を一括して通すことができる。よって、従来のコネクタに先付けされた防水カバーの電線通し穴に電線をそれぞれ挿通する作業が必要がある防水コネクタと比較して電線の通し作業を非常に簡単にでき、作業を短時間で効率よく行うことができる。
【００３９】
また、コネクタの端子収容室３Ｕから引き出された位置の電線２０−１で隣接する差し込みピン１２を押し広げるため、該電線２０−１の外面と差し込みピン１２とは密着する。よって、上方からコネクタ前面に沿って垂れ落ちてくる水滴（Ｑ１、Ｑ２）および電線２０−１の外面を伝ってくる水滴（Ｑ３）を差し込みピン１２で受け止め、水滴（Ｑ）がコネクタ１の端子収容室３内に端子挿入側開口２ｈから浸水するのを防止することができる。
【００４０】
図５に櫛状防水材１０の差し込みピンの変形例を示す。
上端連結枠部１１の下面に垂設する差し込みピン１２は  上段の電線２０−１と接触する位置Ｈ１までは、直線部１２ｄとして、隣接する差し込みピン１２の間に隙間がないスリットを設け、Ｈ１から下向き傾斜部１２ｅを設け、該下向き傾斜部１２ｅの下部１２ｆは下端１２ｐまで直線状としている。
【００４１】
該形状とすると、図５（Ｂ）に示すように、コネクタ１に接続する上下段の電線２０−１と２０−２とが同一径の電線であると、下段の電線２０−２も隣接する差し込みピン１２と接触させることができる。よって、電線２０−２の外周面に沿う水滴を差し込みピン１２で受け止めて、端子収容室３に浸入するのを防止できる。
【００４２】
図６に第２実施形態を示す。
第２実施形態ではコネクタハウジング２に図６（Ｂ）に示す防水材３０を取り付けている。該防水材３０は前記櫛状防水材１０の上端連結枠部１１の上面に両側に延在する傘部３１を一体的に設けている。傘部３１は円弧形状で上端連結枠部１１から一方側に延在する部分はコネクタハウジング２の上面２ａに搭載する搭載部３１ａとすると共に、他方側はコネクタハウジング２より引き出される電線２の上方に位置させて電線外面への水滴の落下を防止する電線側傘部３１ｂとしている。
傘部３１の電線側傘部３１ｂは他方の搭載部３１ａより下方に湾曲して延在する寸法を大とし、コネクタ１から引き出される電線２０を下向きにガイドしている。
また、搭載部３１ａも緩い円弧状とし、その先端３１ａｐをコネクタハウジングの上面に押し付けるようにしている。
【００４３】
前記のように、櫛状防水材１０の上部に傘部３１を設けると、搭載部３１ａをコネクタハウジングの上面２ａに設置するため、防水材３０をより安定した姿勢でコネクタハウジング２に取り付けることができる。また、電線側傘部３１ｂによりコネクタに近接する位置の電線２０に傘をかけているため、上方から水滴が垂れ落ちて電線２０の外面に付着するのを防止できる。かつ、電線側傘部３１ｂによりコネクタハウジング２から引き出される電線２０を下向き方向にガイドして配索できる。これにより、電線２０の外面に付着してコネクタ側へと伝ってくる水滴を、コネクタとの接続位置の直前で自重で落下させてコネクタの防水を図ることができる。
【００４４】
図７に第２実施形態の変形例を示す。
変形例の防水材３０は、傘部３１と櫛状防水材１０とを別体としている。
櫛状防水材１０の上端連結枠部１１の上面に取り付け穴１１ｈを設け、傘部３１の中央部の下面に突設したピン３１ｊを押し込んで連結している。かつ、傘部３１の電線側傘部３１ｂを下方湾曲部分を大きくし、コネクタから引き出す電線２０が真下向きに配線されるようにガイドしている。
このように、傘部３１と櫛状防水材１０とを別に設けておくと、コネクタに接続する電線２０の配線方向に応じた形状とした傘部３１を選択して用いることができる。
【００４５】
図８に第３実施形態で用いる櫛状防水材を示す。
第３実施形態は第１実施形態でコネクタに接続する電線２０より太い電線２０Ｆをコネクタに接続する場合に好適に用いられる。
櫛状防水材１０の上端連結枠部１１の下面から下垂する差し込みピン１２の形状を、前記図５に示す変形例と同様な形状としており、同一符号を付して説明を省略する。
【００４６】
前記差し込みピン１２は隣接する差し込みピン１２と対向する側面に羽毛状突片３５を密集させた状態で突設している。該羽毛状突片３５に水滴を吸収する機能を備え、隣接する差し込みピン１２の間の空間に溜まる水滴および電線２０Ｆ−１、２０Ｆ−２の外面に付着する水滴を羽毛状突片３５で吸水し、コネクタの端子収容室３内に浸水しないようにしている。
【符号の説明】
【００４７】
１  コネクタ
２  コネクタハウジング
２ａ  上面
２ｂ  前面
２ｈ  端子挿入側開口
３  端子収容室
３Ｕ  上段の端子収容室
３Ｄ  下段の端子収容室
１０  櫛状防水材
１１  上端連結枠部
１２  差し込みピン
２０  電線
２５  端子
【図１】
2017084677.tif 000003
【図２】
2017084677.tif 000004
【図３】
2017084677.tif 000005
【図４】
2017084677.tif 000006
【図５】
2017084677.tif 000007
【図６】
2017084677.tif 000008
【図７】
2017084677.tif 000009
【図８】
2017084677.tif 000010
【図９】
2017084677.tif 000011
【図１０】
2017084677.tif 000012